(57)【特許請求の範囲】
【請求項１】
撮影を可能とする第１位置及び撮影を不能とする第２位置の間を移動する移動部材と、
前記移動部材の移動に機械的に連動して、所定の口径の第１絞り及び該第１絞りより小なる口径の第２絞りに適宜切り換え可能な絞り切換手段とを備え、
前記第１絞りに切り換えられているときに前記移動部材を前記第２位置に移動させたときは、前記絞り切換手段は前記第２絞りに切り換わることを特徴とするレンズ付きフィルムユニット。
【請求項２】
撮影を可能とする第１位置及び撮影を不能とする第２位置の間を移動する移動部材と、
前記移動部材の移動に機械的に連動して、所定の速度の第１シャッタ速度及び該第１シャッタ速度より高速の第２シャッタ速度に適宜切り換え可能なシャッタ速度切換手段とを備え、
前記第１シャッタ速度に切り換えられているときに前記移動部材を前記第２位置に移動させたときは、前記シャッタ速度切換手段は前記第２シャッタ速度に切り換わることを特徴とするレンズ付きフィルムユニット。
【請求項３】
前記移動部材は、撮影レンズの前方を移動するバリアであり、該バリアが前記撮影レンズの前方から退避した位置を前記第１位置とし、前記バリアが前記撮影レンズの前方を被覆した位置を前記第２位置とすることを特徴とする請求項１又は請求項２に記載のレンズ付きフィルムユニット。
【請求項４】
ストロボを内蔵し、前記絞り切換手段を前記第１絞りに切り換えたときは、前記ストロボの充電を可能にし、前記絞り切換手段を前記第２絞りに切り換えたときは、前記ストロボの充電を不能にすることを特徴とする請求項１又は請求項３に記載のレンズ付きフィルムユニット。
【請求項５】
所定の口径の第１絞り及び該第１絞りより小なる口径の第２絞りに適宜切り換え可能な絞り切換手段を備えたレンズ付きフィルムユニットを、前記絞り切換手段を前記第２絞りに切り換えた状態で包装したことを特徴とするレンズ付きフィルムユニット包装体。
【請求項６】
所定の速度の第１シャッタ速度及び該第１シャッタ速度より高速の第２シャッタ速度に適宜切り換え可能なシャッタ速度切換手段を備えたレンズ付きフィルムユニットを、前記シャッタ速度切換手段を前記第２シャッタ速度に切り換えた状態で包装したことを特徴とするレンズ付きフィルムユニット包装体。
【請求項７】
所定の口径の第１絞り及び該第１絞りより小なる口径の第２絞りに適宜切り換え可能な絞り切換手段を備えたレンズ付きフィルムユニットの前記絞り切換手段が前記第２絞りに切り換えた状態であることを検出する絞り切換状態検出工程と、該絞り切換状態検出工程にて前記第２絞りに切り換えた状態であることが検出されたレンズ付きフィルムユニットについて包装を行う包装工程とを備えたことを特徴とするレンズ付きフィルムユニット包装体の製造方法。
【請求項８】
所定の速度の第１シャッタ速度及び該第１シャッタ速度より高速の第２シャッタ速度に適宜切り換え可能なシャッタ速度切換手段を備えたレンズ付きフィルムユニットの前記シャッタ速度切換手段が前記第２シャッタ速度に切り換えた状態であることを包装したことを検出するシャッタ速度切換状態検出工程と、該シャッタ速度切換状態検出工程にて前記第２シャッタ速度に切り換えた状態であることが検出されたレンズ付きフィルムユニットについて包装を行う包装工程とを備えたことを特徴とするレンズ付きフィルムユニット包装体の製造方法。
【発明の詳細な説明】
【０００１】
【発明の属する技術分野】
本発明は、撮影レンズの前方を開閉するバリアを有し、異なる口径の二つの絞りに切り換えるか、又は異なる速度の二つのシャッタ速度に切り換えることが可能なレンズ付きフィルムユニット、レンズ付きフィルムユニット包装体、及びレンズ付きフィルムユニット包装体の製造方法に関する。
【０００２】
【従来の技術】
従来のレンズ付きフィルムユニットにおける露光機能としては、撮影レンズの開放絞りと一速のシャッタ速度との組合せのみであって、日中においてはこの露光条件で撮影し、室内や夜間においては同一露光条件でストロボ撮影をしている。そして、露光の過不足はフィルムのラチチュードに頼っている。
【０００３】
また、レンズ付きフィルムユニットを使用しないとき、撮影レンズに塵が付着したり、傷が付いたりすることを防止するために、撮影レンズの前方を開閉するバリアを備えたレンズ付きフィルムユニットが市販されている。
【０００４】
【発明が解決しようとする課題】
高輝度である日中においては人物等の近距離の被写体や風景等の遠距離の被写体を撮影し、低輝度である室内等においては人物等の近距離の被写体のみをストロボ撮影する場合には、従来のレンズ付きフィルムユニットを用いても露出過多になったり露出不足になったりすることが比較的少ない。
【０００５】
しかし、このようなレンズ付きフィルムユニットを用いてやや低輝度である朝夕の風景を撮影すると、露出不足になってしまう。このため、高感度フィルムを装填することも考えられるが、より低輝度の撮影を可能にすると、高輝度の場合に露光過多になってしまう。
【０００６】
このような問題に対処するため、比較的明るい撮影レンズを用い、低輝度のときには開放絞りで撮影し、高輝度のときには口径の小さい絞りを挿入して、高輝度から低輝度まで露出の過不足なく遠距離の被写体の撮影を可能にしたレンズ付きフィルムユニットが特許公報等によって知られている。
【０００７】
このように構成することにより、高輝度の被写体から低輝度の被写体まで撮影可能になるが、一般的に写真撮影の機会は、高輝度である屋外の方が低輝度である夕方や室内等より遙かに多い。従って、上述の如く開放絞りと小絞りとに随時切り換え可能である場合、新たに撮影を開始しようとしたとき高輝度であるにも拘わらず低輝度の露光条件で撮影して露出過多の写真になったり、切り換え操作を行って貴重なシャッタチャンスを逃してしまったりするという問題が生ずる。
【０００８】
本発明はかかる問題に鑑みてなされたものであり、新たに撮影を開始しようとしたときには常に使用頻度の高い高輝度に対応した露光条件に切り換えられており、低輝度の場合にのみ低輝度に対応した露光条件に切り換え操作を行うようにしたレンズ付きフィルムユニット、レンズ付きフィルムユニット包装体、及びレンズ付きフィルムユニット包装体の製造方法を提案することを課題とするものである。
【０００９】
【課題を解決するための手段】
上記課題は下記の何れかにより解決される。
【００１０】
（１）撮影を可能とする第１位置及び撮影を不能とする第２位置の間を移動する移動部材と、前記移動部材の移動に機械的に連動して、所定の口径の第１絞り及び該第１絞りより小なる口径の第２絞りに適宜切り換え可能な絞り切換手段とを備え、前記第１絞りに切り換えられているときに前記移動部材を前記第２位置に移動させたときは、前記絞り切換手段は前記第２絞りに切り換わることを特徴とするレンズ付きフィルムユニット。
【００１１】
（２）撮影を可能とする第１位置及び撮影を不能とする第２位置の間を移動する移動部材と、前記移動部材の移動に機械的に連動して、所定の速度の第１シャッタ速度及び該第１シャッタ速度より高速の第２シャッタ速度に適宜切り換え可能なシャッタ速度切換手段とを備え、前記第１シャッタ速度に切り換えられているときに前記移動部材を前記第２位置に移動させたときは、前記シャッタ速度切換手段は前記第２シャッタ速度に切り換わることを特徴とするレンズ付きフィルムユニット。
【００１２】
（３）所定の口径の第１絞り及び該第１絞りより小なる口径の第２絞りに適宜切り換え可能な絞り切換手段を備えたレンズ付きフィルムユニットを、前記絞り切換手段を前記第２絞りに切り換えた状態で包装したことを特徴とするレンズ付きフィルムユニット包装体。
【００１３】
（４）所定の速度の第１シャッタ速度及び該第１シャッタ速度より高速の第２シャッタ速度に適宜切り換え可能なシャッタ速度切換手段を備えたレンズ付きフィルムユニットを、前記シャッタ速度切換手段を前記第２シャッタ速度に切り換えた状態で包装したことを特徴とするレンズ付きフィルムユニット包装体。
【００１４】
（５）所定の口径の第１絞り及び該第１絞りより小なる口径の第２絞りに適宜切り換え可能な絞り切換手段を備えたレンズ付きフィルムユニットの前記絞り切換手段が前記第２絞りに切り換えた状態であることを検出する絞り切換状態検出工程と、該絞り切換状態検出工程にて前記第２絞りに切り換えた状態であることが検出されたレンズ付きフィルムユニットについて包装を行う包装工程とを備えたことを特徴とするレンズ付きフィルムユニット包装体の製造方法。
【００１５】
（６）所定の速度の第１シャッタ速度及び該第１シャッタ速度より高速の第２シャッタ速度に適宜切り換え可能なシャッタ速度切換手段を備えたレンズ付きフィルムユニットの前記シャッタ速度切換手段が前記第２シャッタ速度に切り換えた状態であることを包装したことを検出するシャッタ速度切換状態検出工程と、該シャッタ速度切換状態検出工程にて前記第２シャッタ速度に切り換えた状態であることが検出されたレンズ付きフィルムユニットについて包装を行う包装工程とを備えたことを特徴とするレンズ付きフィルムユニット包装体の製造方法。
【００１６】
【発明の実施の形態】
本発明のレンズ付きフィルムユニットにおける実施の形態を図１乃至図４を参照して説明する。
【００１７】
先ず、図１のレンズ付きフィルムユニットの外観斜視図により外観部品について説明する。
【００１８】
レンズ付きフィルムユニットの内部機構は前方から前カバー１によって被覆され、後方より後カバー２によって被覆されている。
【００１９】
前カバー１の前面中央には撮影レンズＬが設けられ、その上方にはファインダ用窓１１が設けられている。これらの右方には絞り切換操作部１２が設けられており、手動で上下させることにより、後述するように大小の絞りに切り換えることができる。図１は絞りを大絞りに切り換えた状態の図である。更に、この右方にはストロボ光を発光するストロボ発光窓１３が設けられている。
【００２０】
前カバー１の上面には左から、シャッタレリーズ動作を行うレリーズ釦１４、撮影コマ数を表示する指数器窓１５、絞り切換操作部１２を大絞りに切り換えたときに突出してその状態を後方からでも視認可能な視認部１６が設けられている。
【００２１】
後カバー２の上面にはストロボが充電したときに点灯する充電表示灯窓１７が設けられ、後カバー２の後方には撮影したフィルムをパトローネ内に巻き上げる巻上げノブ１８が設けられている。
【００２２】
本レンズ付きフィルムユニットの前カバー１にはバリア３が装着されており、手動操作によって左右方向に摺動可能である。図１はバリア３を左方に摺動させて撮影レンズＬ及びファインダ用窓１１を開放させた状態の図である。図示していないが、バリア３を右方に摺動すれば撮影レンズＬ及びファインダ用窓１１を被覆し、塵の付着等を防止することができる。
【００２３】
次に、図２に示す絞り切換手段等の正面図により、絞り切り換え等の構成を説明する。
【００２４】
図２において、２１は撮影レンズＬの光軸であり、本図には撮影レンズＬを図示していないが、その後方には絞り切換部材２２が設けられている。絞り切換部材２２は撮影時に最大口径となる大絞り２２ａと、大絞り２２ａより小口径の小絞り２２ｂを有しており、支軸２３に回動自在に軸支されている。図２は大絞り２２ａに切り換えた状態の図であるが、絞り切換部材２２を二点鎖線の位置に回動させると、小絞り２２ｂに切り換わる。
【００２５】
なお、大絞り２２ａの口径は撮影レンズＬの開放口径に相当するものでもよいし、撮影レンズＬの開放口径よりは小さい口径であってもよい。後者の例として、撮影レンズの開放口径より若干絞ることにより、より光学的性能の高い状態で用いる場合や、複数の機種の間で撮影レンズを共通に用い、高感度フィルムを装填するため、さほど大きな口径である必要がない場合等がある。
【００２６】
２４は絞り切り換え操作を行う絞り切換操作部材であり、中央に前述の絞り切換操作部１２を有している。絞り切換操作部１２の操作によって絞り切換操作部材２４は案内用長孔２４ａが案内ピン２５に係合し、右端が案内部２６に当接して上下方向に摺動する。絞り切換操作部材２４の左端には２本の係合ピン２４ｂが立設し、その間に絞り切換部材２２の右端に設けた係合部２２ｃが係合している。
【００２７】
従って、絞り切換操作部１２を操作して絞り切換操作部材２４を上下に摺動させると、絞り切換部材２２は回動し、絞り切換操作部材２４を上方向に摺動させたときは大絞り２２ａが光軸２１の位置に移動し、絞り切換操作部材２４を下方向に摺動させたときは小絞り２２ｂが光軸２１の位置に移動する。
【００２８】
また、絞り切換部材２２の右端下部に立設したピン２７と、図示していないシャッタ地板に立設したピン２８とに、タンブラーバネ２９が掛けられている。タンブラーバネ２９は略中央の死点より双方向に付勢するバネである。
【００２９】
従って、例えば小絞り２２ｂの状態から大絞り２２ａの状態に切り換えるときは、絞り切換操作部１２を操作して絞り切換操作部材２４を途中までタンブラーバネ２９の付勢力に抗して上方向に摺動させ、絞り切換部材２２を反時計方向に回動させるが、死点を過ぎるとタンブラーバネ２９の付勢力によって手を離しても絞り切換部材２２は回動し続け、停止部３１に当接して停止する。
【００３０】
また、大絞り２２ａの状態から小絞り２２ｂの状態に切り換えるときは、絞り切換操作部１２を操作して絞り切換操作部材２４を途中までタンブラーバネ２９の付勢力に抗して下方向に摺動させ、絞り切換部材２２を時計方向に回動させるが、死点を過ぎるとタンブラーバネ２９の付勢力によって手を離しても絞り切換部材２２は回動し続け、停止部３２に当接して停止する。
【００３１】
なお、絞り切換部材２２が停止部３１，３２に各々当接して、大絞り２２ａと小絞り２２ｂとにそれぞれ位置決めされるので、光軸２１に対して高精度の絞り位置が得られる。
【００３２】
また、絞り切換操作部材２４の下部にはカム２４ｃが設けられており、図１に示したバリア３と連動して左右に移動する図示していない部材に作動ピン３８が突出している。そして、図２の如く絞り切換部材２２が大絞り２２ａであって絞り切換操作部材２４が上方に位置しているときに、バリア３を閉鎖すると、作動ピン３８が右方に移動してカム２４ｃを押圧し、絞り切換操作部材２４を下方に摺動させるので、前述の如く絞り切換部材２２を小絞り２２ｂに切り換える。
【００３３】
絞り切換部材２２が小絞り２２ｂであって絞り切換操作部材２４が下方に位置しているときに、バリア３を閉鎖しても、作動ピン３８はカム２４ｃの上部２４ｄを通過して干渉することがない。
【００３４】
従って、バリア３を閉鎖したときは常に小絞り２２ｂとなっているので、次に撮影するときも撮影頻度の高い小絞り２２ｂになっており、直ちに屋外で撮影が可能となる。
【００３５】
また、３３はシャッタ羽根であり、絞り切換部材２２の後方に位置し、周知の如くチャージレバー３４が左方から急速に当接すると支軸３５を中心に時計方向に回動し、続いてシャッタバネ３６の付勢力によって反時計方向に回動して、開閉作動を行う。
【００３６】
４０はストロボのメインスイッチであり、絞り切換操作部材２４が上方に位置しているときに右方のカム２４ｅが可動接片４１の先端に設けた絶縁部４１ａを押圧するので、曲部４１ｂが固定接片４２と当接する。従って、メインスイッチ４０はオンとなり、ストロボの充電が開始する。なお、絞り切換操作部材２４が下方に位置しているときは、カム２４ｅが絶縁部４１ａを押圧せず、メインスイッチ４０はオフとなる。
【００３７】
また、絞り切換操作部材２４を上方に位置させたときに、絞り切換操作部材２４の上端が前カバー１の上面１ａより突出する。これは、大絞りであることを後方からでも視認可能な図１に示した視認部１６に相当する。
【００３８】
以上説明した実施の形態は、大小の絞りに切り換える構成であったが、シャッタ速度を高速と低速とに切り換える構成にすることもできる。このようなシャッタ速度の切換機構の正面図を図３に示し、以下に説明する。
【００３９】
図３において、５１はシャッタ速度切換操作部材であり、中央に手動操作するシャッタ速度切換操作部５１ａを有している。シャッタ速度切換操作部５１ａの操作によってシャッタ速度切換操作部材５１は長孔５１ｂが案内ピン５２に係合し、右端が案内部５３に当接して上下方向に摺動する。
【００４０】
シャッタ速度切換操作部材５１の下部には２本の係合ピン５１ｃが立設し、その間にシャッタ速度調整部材５４の右端５４ａが係合している。シャッタ速度調整部材５４は支軸５５に回動自在に軸支され、左端に立設したピン５６と図示していないシャッタ地板に立設したピン５７との間にタンブラーバネ５８が掛けられている。従って、図２と同様にシャッタ速度切換操作部材５１とシャッタ速度調整部材５４の双方はタンブラーバネ５８により双方向に付勢されている。
【００４１】
６１はシャッタ羽根であり、周知の如くチャージレバー６２が左方から急速に当接すると支軸６３を中心に時計方向に回動してシャッタ地板の開口部６０を開放し、続いてシャッタバネ６４の付勢力によって反時計方向に回動して開口部６０を閉鎖する。
【００４２】
ここで、図３の如くシャッタ速度切換操作部５１ａを操作してシャッタ速度切換操作部材５１を下方に位置させると、シャッタ速度調整部材５４は時計方向に回動する。このとき、シャッタ羽根６１が時計方向に回動して開放作動を行うと、その左先端部がシャッタ速度調整部材５４の左端上部に立設した停止ピン５９に当接して開口部６０の開放時間が短くなり、その後シャッタバネ６４の付勢力によって開口部６０を閉鎖する。従って、高速のシャッタ速度が得られる。
【００４３】
一方、シャッタ速度切換操作部５１ａを操作してシャッタ速度切換操作部材５１を上方に位置させると、シャッタ速度調整部材５４は反時計方向に回動する。このとき、シャッタ羽根６１が時計方向に回動して開放作動を行うと、シャッタ羽根６１の左先端部より停止ピン５９が退避するのでシャッタ羽根６１は充分に回動することになり、開口部６０の開放時間が長くなる。従って、低速のシャッタ速度が得られる。
【００４４】
また、前述と同様にシャッタ速度切換操作部材５１の下部にはカム５１ｄが設けられており、図１に示したバリア３と連動して左右に移動する図示していない部材に作動ピン６８が突出している。そして、図３の如くシャッタ速度切換操作部材５１が下方に位置しているときにバリア３を閉鎖すると、作動ピン６８はカム５１ｄの上部５１ｅを通過して干渉することがない。しかし、シャッタ速度切換操作部材５１が上方に位置しているときにバリア３を閉鎖すると、作動ピン６８が右方に移動してカム５１ｄを押圧し、シャッタ速度切換操作部材５１を下方に摺動させるので、前述の如くシャッタ速度調整部材５４を高速の状態に切り換える。
【００４５】
従って、バリア３を閉鎖したときは常に高速のシャッタ速度になっているので、次に撮影するときも撮影頻度の高い高速のシャッタ速度になっており、直ちに屋外で撮影が可能となる。
【００４６】
また、シャッタ速度切換操作部材５１が上方に位置させたときは低速に切り換えられたのであるので、前述と同様にシャッタ速度切換操作部材５１の上端５１ｆを前カバー１の上面１ａより突出させ、後方からも判別できるようにしている。
【００４７】
以上の図２と図３に示した構成において、絞り切換操作部材２４もシャッタ速度切換操作部材５１も上下方向に摺動する構成であったが、上下方向に限定されるものではなく、左右方向に摺動する構成であっても、回動する構成であってもよい。要は絞り切り換えやシャッタ速度切り換えを行うことができ、バリアの閉鎖作動に連動して、絞りの場合は大絞りから小絞りに、シャッタ速度の場合は低速から高速に切り換えることができる構成であれば、本発明の範疇に入ることになる。
【００４８】
また、タンブラーバネ２９，５８を必ずしも用いなくてもよく、例えば絞り切換操作部材２４やシャッタ速度切換操作部材５１に二つの位置で停止するクリックストップを設けてもよい。
【００４９】
更に、図２による絞り切り換えの構成に図３によるシャッタ速度切り換えの構成を加えた構成としてもよい。
【００５０】
以上の構成を用い、図２の如き絞り切り換えの構成の場合は、バリア３を設けなくとも小絞り２２ｂに切り換えた状態で包装することが望ましい。従って、絞り切換状態検出工程にて小絞り２２ｂに切り換えた状態であることを検出し、小絞り２２ｂに切り換えた状態であることが検出されたレンズ付きフィルムユニットを、包装工程にて図４の如く防湿性を有し袋状に形成された包装体７０内に包装して出荷する。
【００５１】
また、図３の如きシャッタ速度切り換えの構成の場合も、バリア３を設けなくとも高速のシャッタ速度に切り換えた状態で包装することが望ましい。従って、シャッタ速度切換状態検出工程にて高速のシャッタ速度に切り換えた状態であることを検出し、高速のシャッタ速度に切り換えた状態であることが検出されたレンズ付きフィルムユニットを、包装工程にて同様に包装体７０内に包装して出荷する。
【００５２】
このように包装して出荷することによって、上記何れの場合であってもユーザーが開封して撮影するとき、使用頻度の高い小絞りや高速のシャッタ速度になっているので、屋外で直ちに撮影が可能となる。
【００５３】
最後に、特許請求の範囲に述べた用語と実施の形態で述べた用語との関連を以下に説明する。
【００５４】
移動部材はバリア３に相当し、第１位置はバリア３を開放したときの位置に相当し、第２位置はバリア３を閉鎖したときの位置に相当する。しかし、移動手段はバリアに限定されるものではなく、レリーズ作動を干渉しない位置と、レリーズ作動を妨げる位置とに移動する移動部材であってもよい。
【００５５】
絞り切換手段は、絞り切換部材２２、絞り切換操作部材２４及びこれらを作動させる部材に相当し、第１絞りは大絞り２２ａに、第２絞りは小絞り２２ｂに相当する。
【００５６】
シャッタ速度切換手段は、シャッタ速度切換操作部材５１、シャッタ速度調整部材５４及びこれらを作動させる部材に相当する。
【００５７】
【発明の効果】
請求項１〜３に記載のレンズ付きフィルムユニットによれば、新たに撮影を開始しようとしたときには常に使用頻度の高い高輝度に対応した露光条件に切り換えられているので、高輝度であるにも拘わらず低輝度の露光条件で撮影して露出過多の写真になったり、切り換え操作を行って貴重なシャッタチャンスを逃してしまったりする問題が生じない。
【００５８】
請求項４に記載のレンズ付きフィルムユニットによれば、第１絞りに切り換えると共にストロボが充電を開始するので、ユーザーの操作がワンタッチになる。
【００５９】
請求項５，６に記載のレンズ付きフィルムユニット包装体、及び請求項７，８に記載のレンズ付きフィルムユニット包装体の製造方法によれば、開封して撮影を開始しようとしたときには常に使用頻度の高い高輝度に対応した露光条件に切り換えられているので、高輝度であるにも拘わらず低輝度の露光条件で撮影して露出過多の写真になったり、切り換え操作を行って貴重なシャッタチャンスを逃してしまったりする問題が生じない。
【図面の簡単な説明】
【図１】レンズ付きフィルムユニットの外観斜視図である。
【図２】絞り切換手段等の正面図である。
【図３】シャッタ速度切換機構等の正面図である。
【図４】レンズ付きフィルムユニットを包装した包装体の斜視図である。
【符号の説明】
Ｌ  撮影レンズ
３  バリア
１２  絞り切換操作部
２２  絞り切換部材
２２ａ  大絞り
２２ｂ  小絞り
２４  絞り切換操作部材
２９，５８  タンブラーバネ
３３，６１  シャッタ羽根
４０  メインスイッチ
５１  シャッタ速度切換操作部材
５１ａ  シャッタ速度切換操作部
５４  シャッタ速度調整部材
７０  包装体
【図１】
0003767247.tif 000002
【図２】
0003767247.tif 000003
【図３】
0003767247.tif 000004
【図４】
0003767247.tif 000005